(57)【要約】【課題】ペットの胴体を確実に保持することが出来、装着、取り外しが容易で構造が簡易な胴輪を提供する。【解決手段】貫通口を有した連結部材にその両端部互いに連結される前帯状体と後ろ帯状体からなるペット用胴輪において、少なくとも前記後ろ帯状体の両端部に、前記連結部材の貫通口に係脱を直接可能にする切離部材を設けて構成したペット用胴輪であり、確実にペットの胴体の保持、両側からの胴輪の脱着を出来るようにしたもの。【選択図】図１
2014100131.tif 000002
【特許請求の範囲】
【請求項１】
貫通口を有した連結部材にその両端部が互いに連結される前帯状体と後ろ帯状体からなるペット用胴輪において、少なくとも前記後ろ帯状体の両端部に、前記連結部材の貫通口に係脱を直接可能にする切離部材を設けたことを特徴とするペット用胴輪。
【請求項２】
請求項１記載のペット用胴輪において、前記連結部材を二つ設け、前記連結部材のそれぞれの前記貫通口に紐状体を挿通し、前記紐状体に結着される引き綱の操作で前記前帯状体及び後ろ帯状体の周長を調整できるように構成したことを特徴とするペット用胴輪。
【請求項３】
請求項２記載のペット用胴輪において、前記貫通口に挿通される前記紐状体の両端に前記二つの連結部材の貫通口の内径より大きい外径の連結環を連結し、前記連結環を介して前記引き綱が結着されることを特徴とするペット用胴輪。
【請求項４】
請求項１及至請求項３のいずれか一つに記載されたペット用胴輪において、前記前帯状体又は後ろ帯状体の少なくともどちらか一方の帯状体は、長さ調節具を有していることを特徴とするペット用胴輪。
【発明の詳細な説明】
【技術分野】
【０００１】  本発明は犬等ペットに使用可能な胴輪に関する。
【背景技術】
【０００２】  従来のペット用胴輪として、胴輪の帯状体をペットに装着する際に、特許文献１に見られるように一箇所の差し込み式接離部材を使用。常に定まった片側にある為、使用者の利き腕、ペットの向きにより脱着がし難い等の問題があった。
【先行技術文献】
【特許文献】
【０００３】
【特許文献１】  特開  ２００６−２３０３２０公報
【発明の概要】
【発明が解決しようとする課題】
【０００４】  ペットの向きや使用者の利き腕で脱着がし難いなどの従来の胴輪に対し、容易に両側から脱着が出来、構造が簡単、確実にペットの胴体を保持できる胴輪を提供することを目的とする。
【課題を解決するための手段】
【０００５】  上記課題を解決するために本発明は、貫通口を有した連結部材にその両端部が互いに連結される前帯状体と後ろ帯状体からなるペット用胴輪において、少なくとも前記後ろ帯状体の両端部に、前記連結部材の貫通口に係脱を直接可能にする切離部材を設けたことを特徴とするペット用胴輪を提供する。【０００６】  また本発明は、前記連結部材を二つ設け、前記連結部材のそれぞれの前記貫通口に紐状体を挿通し、前記紐状体に結着される引き綱の操作で前記前帯状体及び後ろ帯状体の周長を調整できるように構成したことを特徴とするペット用胴輪を提供する。【０００７】  更に本発明は、前記貫通口に挿通される前記紐状体の両端に前記二つの連結部材の貫通口の内径より大きい外径の連結環を連結し、前記連結環を介して前記引き綱が結着されることを特徴とするペット用胴輪を提供する。【０００８】  更にまた本発明は、前記前帯状体又は後ろ帯状体の少なくともどちらか一方の帯状体は、長さ調節具を有していることを特徴とするペット用胴輪を提供する。
【発明の効果】
【０００９】  上記のように本発明により、ペットの向きや使用者の利き腕に関わらず両側からの脱着を容易にする胴輪において、少なくとも後ろ帯状体の両端に係脱を可能にさせる接離部材を設け、直接連結部材にその接離部材で結着することにより、容易にペットへの胴輪の装着、脱着を両側から行うことができるとともに、二つの連結部材を挿通する紐状体に結着される引き綱を引くことでペットの胴体部が締まり使用者の指示、合図が確実に伝えられる。そして接離部材が直接連結部材に連結することで生産工程が少なくなるとともに、簡単な構造で確実にペットの保持ができる。
【図面の簡単な説明】
【００１０】
【図１】  本発明の第１の実施例形態の胴輪を示す図。
【図２】  第１の実施例形態の胴輪を示す斜視図。
【図３】  連結状態の要部を示す図。
【図４】  胴部帯体後部７ｂを示す図。
【図５】  図１胴輪の使用状態を示す図。
【図６】  本発明の第２の実施例形態の胴輪を示す図。
【図７】  本発明の第３の実施例形態の胴輪を示す図。
【図８】  本発明の第４の実施例形態の胴輪を示す図。
【図９】  本発明の第５の実施例形態の胴輪を示す図。
【図１０】  連結環１に連結する紐状体２が挿通する連結部材３の別の形状を示す図。
【図１１】  紐状体２が挿通する連結部材３の別の形状を示す図。
【発明を実施するための形態】
【００１１】  以下本発明の実施の形態を図面に基づいて説明する。
図１乃至図４により本発明の第１の実施例形態を説明する。
二つの連結部材３ａ、３ｂに紐状体２を挿通し、連結環１に紐状体２の両端を連結している。連結環１に連結された紐状体２は、連結部材３ａ、３ｂ間を制約範囲内で可動する。この場合の制約とは、連結環１の外寸は連結部材３ａ、３ｂの貫通口内寸より大きく、連結環１は連結部材３ａ、３ｂを潜り抜けることができない。そのため連結環１が常に連結部材３ａ、３ｂ間の表片面にあることを可能にしている。
【００１２】  結着する引き綱１０で連結環１を引くことで紐状体２が連動、二つの連結部材３ａ、３ｂが紐状体２上を移動、連結部材３ａ、３ｂの間を狭める役割をする。そして連結環１が常に体表上部面にあることで引き綱１０の連結を容易にする。なお、連結部材３ａ、３ｂはリング形状に限らず、図１０及び図１１に示すような連結環１、紐状体２、連結部材３からなる形状のものでもよい。
【００１３】  後ろ帯状体６ａの一端に長さ調節具８を縫着等結合させ、もう一端を通し押え具９と接離部材４ａに挿通の後、通し押え具９と長さ調節具８に挿通することで長さ調節ができ接離部材４ａが連結された後ろ帯状体６ａが形成される。後ろ帯状体６ｂもそれぞれ後ろ帯状体６ａと同じ状態で形成される。
【００１４】  これら後ろ帯状体６ａ、６ｂの一方、接離部材４ａ、４ｂが連結されていない一端を、胴部帯体７を用い胴部帯体後部７ｂで縫着等結合させ、一連の後ろ帯状体６が形成される。これにより後ろ帯状体６の両端に両側からの脱着を可能にする切離部材４が設けられた。
【００１５】  図４は、胴部帯体後部７ｂの状態を示し、胴部帯体前部７ａは、胴部帯体７の一端を前帯状体５が挿通できるように折り返して縫着等結合する。
【００１６】  前帯状体５はその一端に長さ調節具８を縫着等結合している。もう一端を通し押え具９と連結部材３ａに挿通の後、通し押え具９と長さ調節具８に挿通する。その後に胴部帯体前部７ａを挿通させ、もう一方の連結部材３ｂに縫着等結合することで前帯状体５と連結部材３ａ、３ｂ、紐状体２と連結環１、胴部帯体７、後ろ帯状体６が連結した状態にしている。後ろ帯状体６の両端の切離部材４ａ、４ｂをそれぞれ連結部材３ａ、３ｂに結着することで両側からの脱着を可能にし、一体化された胴輪が形成される。
【００１７】  次に本発明の第１の実施例形態の使用方法を説明する。
前帯状体５の長さ調節具８を動かし、ペットの首胸部太さに合わせる。その後、後ろ帯状体６を長さ調節具８で胴部の太さに合わせて調節する。
【００１８】  次に連結部材３ｂに片側の接離部材４ｂを結着する。又は、連結部材３ａに接離部材４ａを結着する。このように必要な結着をペットの向き、使用者の利き腕等に合わせて決定することができる。
【００１９】  前帯状体５をペットの首に通した後、胴部帯体７と後ろ帯状体６の間にペットの片足をいれる。次に連結部材３に結着されていない片側の後ろ帯状体６を胴部に廻して接離部材４で連結部材３に結着、ペットの胴体に本胴輪が確実に装着される。
【００２０】  図５は本発明の第１の実施例の胴輪がペットに装着された図であり、連結環１に引き綱１０を結着することで離れた位置から使用者がペットの身体を保持する。この引き綱１０を引くことで紐状体２が連動し、連結部材３ａ、３ｂ間が狭まることで前帯状体及び後ろ帯状体が締まり、ペットの胴体部を無理なく緩急に圧迫することにより使用者の指示、合図を明確に伝えることができる。
【００２１】  図６は本発明の第２の実施例の胴輪を示している。この胴輪は連結部材３ａ、３ｂを連結環１で連結、胴部帯体前部７ａで端部に切離部材４を有した前帯状体５ａ、５ｂを縫着等結合し、両端に切離部材４を有した後ろ帯状体６を胴部帯体後部７ｂに挿通して連結、連結部材３ａ、３ｂに結着する前後の帯状体端部の４個の切離部材４で形成したものである。
【００２２】  図７は本発明の第３の実施例の胴輪を示している。この胴輪は連結部材３ａ、３ｂを連結環１が連結された紐状体２で縫着等結合、長さ調節具８を有した前帯状体５の一端を連結部材３ａに連結、もう一端を連結部材３ｂに縫着等結合している。長さ調節具８を有した後ろ帯状体６の両端に切離部材４を連結することで連結部材３ａ、３ｂにそれぞれ結着する。胴部帯体で連結されていない前帯状体５と後ろ帯状体６で形成したものである。
【００２３】  図８は本発明の第４の実施例の胴輪を示している。この胴輪は連結環１が挿通された紐状体２で連結した連結部材３ａ、３ｂに、長さ調節具８を有した前帯状体５ａ、５ｂをそれぞれ連結し、ペットの身体に沿って形成された胴部帯体７の首胸部分の左右に縫着等結合。長さ調節具８を有し切離部材４を連結した後ろ帯状体６ａ、６ｂもそれぞれ胴部帯体７の後ろ胴体部分の左右に縫着等結合して形成したものである。
【００２４】  図９は本発明の第５の実施例の胴輪を示している。この胴輪は前帯状体５を長さ調節可能な２本の独立した前帯状体５ａ、５ｂで形成し、胴部帯体前部７ａで接続部材１１に連結している。さらに長さ調節具８を有し切離部材４を両端に連結した後ろ帯状体６ａ、６ｂを胴部帯体後部７ｂで連結した胴部帯体７により、前帯状体５と連結一体化したことで、ペットにかかる力の受け部を肩にも分散させることができる。
【００２５】  図１０は連結部材３がＤ型の他の形状の状態を示しており、挿通する紐状体２の両端に連結部材３の貫通口より大きい外径の二つの連結環１をそれぞれ連結している。
【００２６】  図１１は連結部材３が貫通口を複数有すなどの他の形状の状態を示しており、貫通口を挿通する紐状体２の両端が連結している。
以上本発明を実施形態に基づいて説明したが、本発明はこの形態に限るものではなく、切離部材４は図に示すようにその形状がナスカン状のものであっても、単なるカラビナであってもよく、材質も一定の強度があれば何でも良い。
【符号の説明】
【００２７】  １：連結環
２：紐状体
３、３ａ、３ｂ：連結部材
４、４ａ、４ｂ：接離部材
５、５ａ、５ｂ：前帯状体
６、６ａ、６ｂ：後ろ帯状体
７：胴部帯体
７ａ：胴部帯体前部
７ｂ：胴部帯体後部
８：長さ調節具
９：通し押え具
１０：引き綱
１１：接続部材
【図１】
2014100131.tif 000003
【図２】
2014100131.tif 000004
【図３】
2014100131.tif 000005
【図４】
2014100131.tif 000006
【図５】
2014100131.tif 000007
【図６】
2014100131.tif 000008
【図７】
2014100131.tif 000009
【図８】
2014100131.tif 000010
【図９】
2014100131.tif 000011
【図１０】
2014100131.tif 000012
【図１１】
2014100131.tif 000013